(57)【要約】      （修正有）【課題】光源接続モジュール及びコネクタを提供する。【解決手段】光源接続モジュール１０は、蓋体と、筐体１４及び電極モジュールを含む。筐体は蓋体と接合する。筐体には、収容空間ＳＰ及び第１の留め具１４２が形成される。収容空間には、収容空間を貫通するための開孔１４４が設けられる。第１の留め具は筐体の両側辺に形成される。電極モジュールは筐体と接合する。電極モジュールは、ベースと、電極１６４及び第２の留め具を有する。ベースには、電極及び第２の留め具が設けられる。電極は開孔を貫通する。電極は接触端１６４２及び接続端を有する。接触端は導体と接触することができ、接続端は回路基板と接続することができる。第２の留め具は第１の留め具に対応して、筐体と電極モジュールを接合する。なお、蓋体と、筐体及び電極モジュールを接合することで、回路基板と導体とが電極を介して電気的に接続されるように、蓋体は導体を接触端に押し付ける。【選択図】図３
0003228254.tif 000002
【実用新案登録請求の範囲】
【請求項１】
回路基板と、信号を伝送するための導体を有するフレキシブルフラットケーブルに適用される光源接続モジュールであって、
蓋体と、前記蓋体に接合される筐体と、前記筐体に接合される電極モジュールと、を備え、
前記筐体には収容空間及び第１の留め具が形成され、前記収容空間には前記収容空間を貫通するための開孔が設けられ、前記第１の留め具は前記筐体の両側辺に形成され、
前記電極モジュールは、ベースと、電極及び第２の留め具を有し、前記ベースには前記電極及び前記第２の留め具が設けら、前記電極は前記開孔を貫通し、前記電極は接触端及び接続端を有し、前記接触端は前記導体と接触し、前記接続端は前記回路基板と接続し、前記第２の留め具は前記第１の留め具に対応して、前記筐体と前記電極モジュールを接合し、
前記蓋体と、前記筐体及び前記電極モジュールを接合することで、前記回路基板と前記導体とが前記電極を介して電気的に接続されるように、前記蓋体は前記導体を前記接触端に押し付けることを特徴とする光源接続モジュール。
【請求項２】
前記第１の留め具には、突起を有する弾性アームが形成され、前記第２の留め具には開口が形成され、前記突起により前記開口を係合することで、前記電極モジュールを前記筐体に固定することを特徴とする請求項１に記載の光源接続モジュール。
【請求項３】
圧縮された前記弾性アームを解放するによって、前記突起を前記開口から離脱させることを特徴とする請求項２に記載の光源接続モジュール。
【請求項４】
前記蓋体には第３の留め具が形成され、前記電極モジュールには第４の留め具が形成され、前記第３の留め具は前記第４の留め具に対応して設けられ、前記第３の留め具により前記第４の留め具を係合することで、前記蓋体が前記筐体と接合されることを特徴とする請求項１に記載の光源接続モジュール。
【請求項５】
前記第３の留め具は凹溝であり、前記第４の留め具はロック部材であり、前記ロック部材は前記凹溝をロックして、前記蓋体を前記電極モジュールに固定することを特徴とする請求項４に記載の光源接続モジュール。
【請求項６】
前記電極は、外力を受けて変形し、及び前記外力を解除して弾性を回復するための弾性を有することを特徴とする請求項１に記載の光源接続モジュール。
【請求項７】
短絡部材を更に備え、
前記短絡部材は前記筐体に設けられ、前記フレキシブルフラットケーブルの任意の少なくとも２つのリード線を短絡することを特徴とする請求項１に記載の光源接続モジュール。
【請求項８】
回路基板と、信号を伝送するための導体を有するフレキシブルフラットケーブルに適用されるコネクタであって、
蓋体と、前記蓋体に接合される筐体と、前記筐体に接合される電極モジュールと、第１の電極シートと、電源部材と、を備え、
前記筐体には収容空間及び第１の留め具が形成され、前記収容空間には、前記収容空間を貫通するための開孔が設けられ、前記第１の留め具は前記筐体の両側辺に形成され、
前記電極モジュールは、ベースと、電極及び第２の留め具を有し、前記ベースには前記電極及び前記第２の留め具が設けられ、前記電極は前記開孔を貫通し、前記電極は接触端及び接続端を有し、前記接触端は前記フレキシブルフラットケーブルと接触し、前記第２の留め具は前記第１の留め具に対応して、前記筐体と前記電極モジュールを接合し、
前記第１の電極シートの一端は前記接続端と電気的に接続され、
前記電源部材は第２の電極シートを提供し、前記第２の電極シートの一端は前記第１の電極シートの他端と電気的に接続され、前記第２の電極シートの他端は電気的に接続されて電力を受け取り、
前記蓋体と、前記筐体及び前記電極モジュールを接合することで、前記回路基板と前記導体とが前記電極を介して電気的に接続されるように、前記蓋体は前記導体を前記接触端に押し付けることを特徴とするコネクタ。
【請求項９】
前記第２の電極シートは挟持電極であることを特徴とする請求項８に記載のコネクタ。
【請求項１０】
前記筐体は、保持壁を有する接続溝を更に含み、
前記電源部材は前記保持壁によりストップされ、前記接続溝に制限されることを特徴とする請求項８に記載のコネクタ。
【考案の詳細な説明】
【技術分野】
【０００１】
本考案は、コネクタの技術分野に関わり、特に発光源に適用される光源接続モジュール及びコネクタに関するものである。
【背景技術】
【０００２】
従来、液晶表示パネルは、液晶層の他、主に発光層（又はバックライト板）に構成される。液晶層は、画面を表示するために発光層を介する必要がある。
【０００３】
従来技術のバックライト層は複数組の発光ダイオードモジュールで構成され、これらの発光ダイオードが液晶層の下に分布され、発光ダイオードにより生成された面光源によって液晶層に作用する。
【０００４】
複数組の発光ダイオードモジュールの間は配線を介して接続されており、液晶表示パネルのサイズが異なるため、発光ダイオードモジュールはサイズに応じてカスタマイズする必要があり、よって、回路レイアウト設計に制限がある。更に、発光ダイオードモジュールが破損した場合、グループ全体を替える必要があり、コストが高く、替えることも容易ではない。
【考案の概要】
【考案が解決しようとする課題】
【０００５】
本考案は、従来技術の欠点を解決するために、光源接続モジュール及びコネクタを提供する。
【課題を解決するための手段】
【０００６】
本考案の第一の目的は、発光ユニットに適用される光源接続モジュールを提供し、フレキシブルフラットケーブルの任意の位置に容易に配置することができる。
【０００７】
本考案の第二の目的は、前記光源接続モジュールにより、サイズが異なる発光ユニットに制限のない直列接続の方式で適用することができる。
【０００８】
本考案の第三の目的は、前記光源接続モジュールにより、組み立てやメンテナンスを容易にするために、蓋体は取り外し可能である。
【０００９】
本考案の第四の目的は、前記光源接続モジュールにより、接続ユニットはフレキシブルフラットケーブルの末端のところ、接続のところ及び外接のところに設置されてもよい、接続のところの末端は末端のところであり、外接のところに外部の制御ユニット、電力ユニット又は端子が接続される。
【００１０】
本考案の第五の目的は、シングルサイド又はダブルサイドの発光ユニットに接続することができる、或いは外部の制御ユニット、電力ユニット又は端子に接続することができる光源コネクタを提供する。
【００１１】
本考案の第六の目的は光源コネクタを提供し、当該光源コネクタにおいて、第１の留め具には、突起を有する弾性アームが形成され、第２の留め具には開口が形成され、突起により開口を係合することで、第１の留め具を接続モジュールに固定する。
【００１２】
本考案の第七の目的は光源コネクタを提供し、当該光源コネクタにおいて、蓋体により導体を電極に押し付けることで、回路基板とフレキシブルフラットケーブルの導体とが電極を介して電気的に接続される。
【００１３】
本考案の第八の目的は光源コネクタを提供し、当該光源コネクタは、フレキシブルフラットケーブルの少なくとも２つの導体を短絡するための短絡部材を提供する。
【００１４】
本考案の第九の目的は、電源部材を接続するためのコネクタを提供する。
【００１５】
以上の目的及び他の目的を達成するために、本考案は、回路基板とフレキシブルフラットケーブルに適用される光源接続モジュールを提供する。フレキシブルフラットケーブルは、信号を伝送するための導体を有する。光源接続モジュールは、蓋体と、筐体及び電極モジュールを含む。筐体は蓋体と接合する。筐体には、収容空間及び第１の留め具が形成される。収容空間には、収容空間を貫通するための開孔が設けられる。第１の留め具は筐体の両側辺に形成される。電極モジュールは筐体と接合する。電極モジュールは、ベースと、電極及び第２の留め具を有する。ベースには、電極及び第２の留め具が設けられる。電極は開孔を貫通する。電極は接触端及び接続端を有する。接触端は導体と接触することができ、接続端は回路基板と接続することができる。第２の留め具は第１の留め具に対応して、筐体と電極モジュールを接合する。なお、蓋体と、筐体及び電極モジュールを接合することで、回路基板と導体とが電極を介して電気的に接続されるように、蓋体は導体を接触端に押し付けることができる。
【００１６】
以上の目的及び他の目的を達成するために、本考案は、回路基板とフレキシブルフラットケーブルに適用されるコネクタを提供し、前記フレキシブルフラットケーブルは信号を伝送するための導体を有し、且つ、前記フレキシブルフラットケーブルには、前記導体を露出するための露出領域が形成され、前記コネクタは、蓋体と、筐体と、電極モジュールと、第１の電極シート及び電源部材を備える。筐体は蓋体と接合する。筐体には、収容空間及び第１の留め具が形成される。収容空間には、収容空間を貫通するための開孔が設けられる。第１の留め具は筐体の両側辺に形成される。電極モジュールは筐体と接合する。電極モジュールは、ベースと、電極及び第２の留め具を有する。ベースには、電極及び第２の留め具が設けられる。電極は開孔を貫通する。電極は接触端及び接続端を有する。接触端はフレキシブルフラットケーブルと接触することができる。第２の留め具は第１の留め具に対応して、筐体と電極モジュールを接合する。第１の電極シートの一端は接続端と電気的に接続される。電源部材は第２の電極シートを提供する。第２の電極シートの一端は第１の電極シートの他端と電気的に接続され、第２の電極シートの他端は電気的に接続されて電力を受け取る。なお、蓋体と、筐体及び電極モジュールを接合することで、回路基板と導体とが電極を介して電気的に接続されるように、蓋体は導体を接触端に押し付けることができる。
【００１７】
従来の技術と比較して、本考案の光源接続モジュールは、異なる接続ユニットを提供し、長さが異なるフレキシブルフラットケーブルに適用されて、サイズの変化に応じてバックライトモジュールの設計を行うことができる。更に、本考案のコネクタは、フレキシブルフラットケーブル及び発光ユニット（例えば、発光ダイオードモジュール）のモジュールブリッジを提供して、配置やメンテナンスを容易にすることができる。
【図面の簡単な説明】
【００１８】
【図１】図１は本考案の実施例にかかる光源接続モジュール及びコネクタの配置模式図である。
【図２】図２は本考案の図１にかかる光源接続モジュールの外部構造を説明する図である。
【図３】図３は本考案の図１にかかる光源接続モジュールの内部構造を説明する図である。
【図４】図４は本考案の図２にかかる電極モジュール及び短絡部材の詳しい構造を説明する図である。
【図５】図５は本考案の図２にかかる蓋体と筐体が接合した後の断面を説明する図である。
【図６】図６は本考案の実施例にかかるコネクタの第１の斜視模式図である。
【図７】図７は本考案の実施例にかかるコネクタの第２の斜視模式図である。
【図８】図８は本考案の実施例にかかるコネクタの断面図である。
【考案を実施するための形態】
【００１９】
本考案の目的、特徴及び効果を十分に理解するために、後述の実施例及び図面に基づいて、本考案を説明する。
【００２０】
本考案において、「１つ」を使用して本明細書に記載されるユニット、デバイスを説明する。特に指摘しない限り、このような説明は、１つ、少なくとも１つを含むと理解され、かつ単数も同時に複数を含む。
【００２１】
本考案において、「含む」、「備える」、「有する」の用語又は他の類似用語は、非排他的なものをカバーすることを意図している。例えば、複数の要素を含むデバイス、構造、製品又は装置は、本明細書に記載された要件だけに限定されるものではなく、明確に記載されていないが、他の固有のデバイス、構造、製品、または装置を含むことができる。これ以外に、反対となる明確な説明がない限り、用語「または」は包括的な「または」を意味し、排他的な「または」を意味するものではない。
【００２２】
図１を参考し、図１は本考案の実施例にかかる光源接続モジュール及びコネクタの配置模式図である。図１には、フレキシブルフラットケーブル２、回路基板４、光源接続モジュール１０及びコネクタ２０が示される。フレキシブルフラットケーブル２の長さ、光源接続モジュール１０の数、及びコネクタ２０の数は制限されない、ここでの数及び長さは説明のみに例示される。
【００２３】
図２を参考し、図２は本考案の図１にかかる光源接続モジュールの外部構造を説明する図である。図２において、フレキシブルフラットケーブル２は導体２２を含む。導体２２は１つの信号（電力信号又は制御信号など）を回路基板４に伝送できる。実施例では、回路基板４は発光ユニットを提供でき、例えば、発光ユニットは、発光ダイオード（Ｌｉｇｈｔ−ｅｍｉｔｔｉｎｇ  ｄｉｏｄｅ，ＬＥＤ）、冷陰極蛍光ランプ（Ｃｏｌｄ  ｃａｔｈｏｄｅ  ｆｌｕｏｒｅｓｃｅｎｔ  ｌａｍｐ，ＣＣＦＬ）などであってもよい。
【００２４】
図２と図３を参考し、図２は本考案の図１にかかる光源接続モジュールの外部構造を説明する図であり、図３は本考案の図１にかかる光源接続モジュールの内部構造を説明する図である。光源接続モジュール１０は、蓋体１２と、筐体１４及び電極モジュール１６を含む。
【００２５】
図２において、蓋体１２は矩形を例に説明し、蓋体１２が筐体１４と接合される。
【００２６】
図３において、筐体１４には、収容空間ＳＰ及び第１の留め具１４２が形成される。収容空間ＳＰには、収容空間ＳＰを貫通するための開孔１４４が設けられる。第１の留め具１４２は筐体１４の両側辺に形成され、本実施例では、第１の留め具１４２の数は四つを例に説明する。
【００２７】
電極モジュール１６は筐体１４と接合する。電極モジュール１６は、ベース１６２と、電極１６４及び第２の留め具１６６を有する。図４を併せて参照し、図４は本考案の図２にかかる電極モジュール及び短絡部材の詳しい構造を説明する図である。
【００２８】
ベース１６２には、電極１６４及び第２の留め具１６６が設けられる。
【００２９】
本実施例では、電極１６４の数は四つを例に説明する。電極１６４は開孔１４４を貫通する。電極１６４は接触端１６４２及び接続端１６４４を有する。なお、接触端１６４２は導体２２と接触することができ、接続端１６４４は回路基板４と接続することができる。本実施例において、電極１６４は、外力（例えば、蓋体１２が筐体１４と接合された圧力）を受けて変形し、及び外力を解除して弾性を回復するための弾性を有し、図５を併せて参照し、図５は本考案の図２にかかる蓋体と筐体が接合した後の断面を説明する図である。
【００３０】
図４に戻し、本実施例において、電極モジュール１６は短絡部材１６８を更に含み、短絡部材１６８は必要な要素ではない、主に末端の電極モジュールに適用される。短絡部材１６８は筐体１４に設置され、フレキシブルフラットケーブル２の任意の少なくとも２つのリード線２２を短絡する。
【００３１】
図２において、第２の留め具１６６は第１の留め具１４２に対応する。第２の留め具１６６が第１の留め具１４２に係合された後、筐体１４と電極モジュール１６とを接合することができる。
【００３２】
本実施例において、第１の留め具１４２には、突起１４２２を有する弾性アームが形成され、第２の留め具１６６には開口１６６２が形成され、突起１４２２により開口１６６２を係合することで、電極モジュール１６を筐体１４に固定する。別の実施例において、圧縮された弾性アームを解放するによって、突起１４２２を開口１６６２から離脱させる。
【００３３】
別の実施例において、蓋体１２には第３の留め具１２２が形成され、電極モジュール１６には第４の留め具１６１０が形成される。第３の留め具１２２は第４の留め具１６１０に対応して設けられ、第３の留め具１２２により第４の留め具１６１０を係合することで、蓋体１２が筐体１４と接合される。
【００３４】
図６〜図８を参照し、図６は本考案の実施例にかかるコネクタの第１の斜視模式図であり、図７は本考案の実施例にかかるコネクタの第２の斜視模式図であり、及び図８は本考案の実施例にかかるコネクタの断面図である。図６において、コネクタ２０は、第１の実施例にかかる蓋体１２と、筐体１４及び電極モジュール１６を備えるに加えて、更に第１の電極シート１８及び電源部材２４を備える。
【００３５】
蓋体１２と、筐体１４及び電極モジュール１６は第１の実施例の説明を参照してもよい、ここでは説明しない。
【００３６】
第１の電極シート１８の一端は接続端１６４４と電気的に接続される。
【００３７】
電源部材２４は第２の電極シート２６を提供する。第２の電極シート２６の一端は第１の電極シート１８の他端と電気的に接続され、第２の電極シート２６の他端は電気的に接続されて電力Ｅを受け取ってもよい。本実施例において、第１の電極シート１８と接続された第２の電極シート２６の一端は、第１の電極シート１８を挟持するための挟持電極であってもよい。
【００３８】
別の実施例において、筐体１４は、保持壁を有する接続溝（図示せず）を更に含んでもよい。電源部材２４は保持壁によりストップされ、接続溝に制限されるので、電源部材２４が接続溝に挿入される過程で、第１の電極シート１８と第２の電極シート２６をスムーズに接続することができる。
【００３９】
本考案の実施例を説明したが、実施例は、例として提示したものであり、考案の範囲を限定することは意図していない。実施例は、その他の様々な形態で実施されることが可能であり、考案の要旨を逸脱しない範囲で、種々の省略、置き換え、変更を行うことができる。実施例やその変形は、考案の範囲や要旨に含まれると同様に、特許請求の範囲に記載された考案とその均等の範囲に含まれるものである。
【符号の説明】
【００４０】
２…フレキシブルフラットケーブル
２２…導体
４…回路基板
１０…光源接続モジュール
１２…蓋体
１２２…第３の留め具
１４…筐体
１４２…第１の留め具
１４２２…突起
１４４…開孔
１６…電極モジュール
１６２…ベース
１６４…電極
１６４２…接触端
１６４４…接続端
１６６…第２の留め具
１６６２…開口
１６８…短絡部材
１６１０…第４の留め具
１８…第１の電極シート
２０…コネクタ
２４…電源部材
２６…第２の電極シート
ＳＰ…収容空間
【図１】
0003228254.tif 000003
【図２】
0003228254.tif 000004
【図３】
0003228254.tif 000005
【図４】
0003228254.tif 000006
【図５】
0003228254.tif 000007
【図６】
0003228254.tif 000008
【図７】
0003228254.tif 000009
【図８】
0003228254.tif 000010